(57)【要約】      （修正有）【課題】紫外線ランプによるオゾン生成機能とブラックライト機能に着目して新規な使用態様、例えば鑑賞魚の育成や生花の長期保存を可能とするとともにこれらのディスプレィ効果の向上を図る構造簡易で小型軽量であり、取り扱いが簡便かつ廉価なオゾン発生・照明装置を提供する。【解決手段】主面部４Ａを照明光放射面として側面部に空気流入部９とオゾン化空気排出部１０を設けて内部に空気流路空間部５を構成してなる筐体２内に、紫外線ランプ７と駆動回路部８からなる紫外線ランプユニット６を収納してなる。紫外線ランプ７から出射した照明光を主面部４Ａを外部に放射するとともに、空気流入部９から流入して空気流路空間部５を流れる空気１２をオゾン化して生成したオゾン化空気１４をオゾン化空気排出部１０から排出する。【選択図】図１
2012038620.tif 000002
【特許請求の範囲】
【請求項１】
少なくとも１つの主面部が光透過特性を有して照明光放射面部として構成されるとともに、側面部に空気流入部とオゾン空気排出部を設け内部空間部に空気流路を構成した密閉箱体からなる筐体と、
紫外線ランプと駆動回路部からなり、少なくとも上記紫外線ランプを上記筐体の上記内部空間部に収納した紫外線ランプユニットと、
上記紫外線ランプから出射された出射光を上記照明光放射面部から照明光として外部に放射するとともに、上記空気流路空間部内において上記空気流入部から流入した空気を紫外線雰囲気で通過させてオゾン化してオゾン化空気を生成し、上記オゾン化空気を上記オゾン空気排出部から排出するオゾン発生・照明装置。
【請求項２】
上記照明光放射面部には、所定波長領域の紫外線を透過させる紫外線波長選択透過体が設けられる請求項１に記載のオゾン発生・照明装置。
【請求項３】
上記筐体の内部に構成される上記空気流路空間部は、上記空気流入部と連通されて流入した空気を上記紫外線ランプに直接晒して流すことによりオゾン化が行われるようにするオゾン化空気生成流路と、このオゾン化空気生成流路において生成された上記オゾン化空気を上記紫外線ランプに対して光学的に遮蔽した状態で上記オゾン化空気排出部に流すオゾン化空気流路とから構成される請求項１又は請求項２に記載のオゾン発生・照明装置。
【請求項４】
上記筐体は、上記内部空間部が、上記紫外線ランプを収納するランプ収納空間部と上記駆動回路部を収納する回路収納空間部とに区割りされる請求項１乃至請求項３のいずれか１項に記載のオゾン発生・照明装置。
【請求項５】
上記筐体は、上面部に載置体を載置する置き台を構成し、上記上面部が載置した上記載置体を下面側から照明する上記照明光放射面部を構成するとともに、上記載置体に対して上記オゾン空気排出部から上記オゾン化空気を供給する請求項１乃至請求項４のいずれか１項に記載のオゾン発生・照明装置。
【請求項６】
上面部が載置体を載置する載置部を構成し、上記内部空間部が外周壁に沿った環状のランプ収納空間部とこのランプ収納空間部に囲まれた円形の回路収納空間部とに区割りされてなり、円形の置き台を構成する筐体と、
上記筐体の上記ランプ収納空間部に収納される略環状の上記紫外線ランプと、上記回路収納空間部に収納された駆動回路部からなる上記紫外線ランプユニットと、
上記筐体の上記上面部の少なくとも上記ランプ収納空間部に対応する環状領域部を光透過特性を有する照明光放射面部として構成するとともに上記回路収納空間部に対応する円形の中央領域部を上記載置体を載置する載置部として構成し、上記照明光放射面部から放射する照明光により上記載置部上に載置した上記載置体の外周部を下面側から照明するとともに、上記載置体に対して上記オゾン空気排出部から上記オゾン化空気を供給するオゾン発生・照明装置。
【発明の詳細な説明】
【技術分野】
【０００１】
本発明は、筐体内に紫外線ランプを有して、オゾンを発生するオゾン発生機能といわゆるブラックライト照明を行う紫外線照明機能との複合機能を有するオゾン発生・照明装置に関する。
【背景技術】
【０００２】
オゾン発生装置は、消臭、除菌作用を奏するとともに、時間経過にしたがい自己破壊により酸素に変化して無害化するオゾンを生成する装置である。オゾン発生方法としては、放電法、電解法、放射線照射法等の各種方法があるが、一般的には構造や操作が簡易である紫外線ランプを用いた光化学反応方法が採用されている。紫外線ランプオゾン発生装置は、紫外線ランプから放射する短波長の紫外線（ＵＶ−Ｃ。波長１８５ｎｍ）に空気を晒らすことにより、酸素を分解してオゾンに変える。光化学反応方法を採用したオゾン発生装置としては例えば、特許文献１や特許文献２に記載されている。
【０００３】
特許文献１には、冷蔵庫に付設されて貯蔵された野菜や果物から発生する鮮度を劣化させるエチレンを酸化して鮮度維持を図るとともに殺菌作用を奏するオゾン発生装置が記載されている。オゾン発生装置は、波長１８４．９ｎｍ及び波長２５３．７ｎｍにピークを有する紫外線を出射する紫外線ランプを備える。オゾン発生装置は、空気吸込口から取り入れた空気を紫外線ランプから出射する紫外線に晒してオゾン化空気を生成し、このオゾン化空気を送風機を設けた空気吹出口から庫内へと吹き出しする。
【０００４】
特許文献２には、ダクトの周壁に開口部を形成し、この開口部を介してダクト内に紫外線ランプを突出させるように取り付けるオゾン発生装置が記載されている。オゾン発生装置は、ダクト内を流れる空気に紫外線をあてることによりオゾン化空気を生成して各部へと供給されて脱臭、除菌が行われるようにする。
【０００５】
ところで、紫外線ランプは、上述したオゾン化空気の生成源ばかりでなく、波長特性により様々な用途に使用されている。紫外線ランプは、出射する紫外線の波長特性が、例えば１８５ｎｍでは上述したオゾン発生用として、２００ｎｍ〜４００ｎｍではいわゆるＵＶ硬化型樹脂やＵＶ塗料等の硬化用光源用として、２５０ｎｍではＵＶ洗浄用として、さらに２８０ｎｍ〜３１５ｎｍではいわゆるブラックライトとして水槽等の照明用や日焼け灯用に用いられる。紫外線ランプは、照明用として用いることにより、ブラックライトとして周囲に存在する蛍光物体を光らせて独自の雰囲気作りが行われるようにする。
【先行技術文献】
【特許文献】
【０００６】
【特許文献１】特開平９−１６９５０４号公報
【特許文献２】特開２００２−３７６０８号公報
【発明の概要】
【発明が解決しようとする課題】
【０００７】
上述したように紫外線ランプは、波長特性により様々な用途に用いられているが、従来ではほとんどが特定目的のための使用態様であった。本発明は、紫外線ランプによるオゾン生成機能とブラックライト機能に着目して新規な使用態様、例えば鑑賞魚の育成や生花の長期保存を可能とするとともにこれらのディスプレィ効果の向上を図る構造簡易で小型軽量であり、取り扱いが簡便かつ廉価なオゾン発生・照明装置を提供することを目的に提案されたものである。
【課題を解決するための手段】
【０００８】
上述した目的を達成する本発明に係るオゾン発生・照明装置は、少なくとも１つの主面部が光透過特性を有して照明光放射面部として構成されるとともに側面部に空気流入部とオゾン空気排出部を設け内部空間部に空気流路を構成した密閉箱体からなる筐体と、紫外線ランプと駆動回路部からなり少なくとも紫外線ランプを筐体の内部空間部に収納した紫外線ランプユニットとを備える。オゾン発生・照明装置は、紫外線ランプから出射された出射光を照明光放射面部から照明光として外部に放射するとともに、空気流入部から流入して空気流路空間部を流れる空気を紫外線により反応させてオゾン化し、生成したオゾン化空気をオゾン空気排出部から排出する。
【０００９】
オゾン発生・照明装置は、いわゆるブラックライトとして周囲に存在する蛍光物体を光らせて独自の雰囲気作りが行われるようにするとともに、オゾン化空気を放出することにより周囲に存在する植物等を活性化するとともに、除菌作用も奏されるようにする。オゾン発生・照明装置は、オゾン化空気が時間経過に伴って自己分解により酸素に変わるために、環境汚染を生じさせることは無い。オゾン発生・照明装置は、使用形態として、例えば水槽の上部に設置して空気流入部に空気ポンプを接続して供給される空気をオゾン化してオゾン空気排出部から水中に放出することにより、水槽内の水質浄化を図るとともに熱帯魚や金魚等の飼育物の成長を促す働きを奏し、また照明光放射面部から放射する照明光により水槽内を照明する。また、オゾン発生・照明装置は、使用形態として、例えば花瓶等の置き台として用いられ、花瓶等を照明するとともに生けられた草花等にオゾンを供給する。
【００１０】
オゾン発生・照明装置は、筐体の照明光放射面部に、所定波長領域の紫外線を透過させる紫外線波長選択透過体を設けてもよい。オゾン発生・照明装置は、紫外線波長選択透過体により主たる使用目的に応じて所定波長の紫外線を選択的に透過させることにより、目的外の紫外線放射による影響が低減されるようにする。
【００１１】
オゾン発生・照明装置は、筐体の内部に構成される空気流路空間部を、空気流入部と連通されて流入した空気を紫外線ランプに直接晒して流すことによりオゾン化が行われるようにするオゾン化空気生成流路と、このオゾン化空気生成流路において生成したオゾン化空気を紫外線ランプに対して光学的に遮蔽した状態でオゾン化空気排出部に流すオゾン化空気流路とから構成してもよい。オゾン発生・照明装置は、初期段階でオゾン化されたオゾン化空気が、空気流路空間部内を紫外線ランプに晒されて流れることによる自己分解を低減し、効率的なオゾン化空気の排出が行われるようにする。
【００１２】
オゾン発生・照明装置は、筐体を、内部空間部が、紫外線ランプを収納するランプ収納空間部と駆動回路部を収納する回路収納空間部とに区割りして構成する。オゾン発生・照明装置は、ランプ収納空間部がオゾン化空気生成流路を構成するために密閉性が必要であり、一方回路収納空間部が特に密閉性を必要とせず、保守性の向上やコスト低減を図ることが可能とされる。また、オゾン発生・照明装置は、ランプ収納空間部と回路収納空間部とを区割りすることにより、オゾンによる駆動回路部の電子部品等の損傷が防止可能となり、耐久性や信頼性の向上が図られる。
【００１３】
オゾン発生・照明装置は、筐体が、上面部に載置体を載置する置き台を構成し、載置した載置体を下面側から照明する照明光放射面部を構成するとともに、載置体に対してオゾン空気排出部からオゾン化空気を供給する。オゾン発生・照明装置は、上面部に例えば草花をいけた花瓶等を載置してブラックライト照明することにより独自の雰囲気を醸し出すようにするとともに、オゾン空気排出部から排出したオゾン化空気を花瓶内に導いて草花にあてることにより長持ちさせる。オゾン発生・照明装置は、オゾン化空気により水を浄化することにより、頻繁な水交換を不要とし注ぎ水の手間で草花を長持ちさせる。
【００１４】
また、上述した目的を達成する本発明に係るオゾン発生・照明装置は、上面部を載置体を載置する載置部とするとともに内部空間部を外周壁に沿った環状のランプ収納空間部とこのランプ収納空間部に囲まれた円形の回路収納空間部とに区割りした円形の置き台を構成する筐体と、この筐体のランプ収納空間部に収納される略環状の紫外線ランプと回路収納空間部に収納された駆動回路部とにより構成した紫外線ランプユニットと、照明光放射面部の内面に設けた紫外線カット体を備える。オゾン発生・照明装置は、筐体の上面部の少なくともランプ収納空間部に対応する環状領域部を光透過特性を有する照明光放射面部として構成するとともに、回路収納空間部に対応する円形の中央領域部を載置体を載置する載置部として構成する。オゾン発生・照明装置においては、照明光放射面部から放射する照明光により載置部上に載置した例えば花瓶等の載置体の外周部を下面側から照明するとともに、載置体に対して上記オゾン空気排出部から上記オゾン化空気を供給する。
【発明の効果】
【００１５】
本発明によれば、少なくとも１つの主面部を照明光放射面部として構成するとともに側面部に空気流入部とオゾン空気排出部を設けて内部空間部に空気流路を構成した密閉箱体からなる筐体内に、紫外線ランプと駆動回路部からなる紫外線ランプユニットの少なくとも紫外線ランプを収納して構成され、紫外線ランプから出射された照明光を照明光放射面部から外部に放射するとともに、空気流入部から流入して空気流路空間部を流れる空気をオゾン化したオゾン化空気をオゾン空気排出部から排出する構造簡易で小型軽量かつ取り扱いが簡便で廉価なオゾン発生・照明装置を得ることが可能となる。本発明によれば、いわゆるブラックライトとして周囲に存在する蛍光物体を光らせて独自の雰囲気作りをする照明装置としての機能と、オゾン化空気を放出することにより周囲に存在する植物等を活性化するとともに除菌作用も奏するオゾン発生装置としての機能とを同時に奏し、花瓶等の置き台や水槽の照明装置等として新規な使用態様を創出する。
【図面の簡単な説明】
【００１６】
【図１】本発明に係るオゾン発生・照明装置の縦断面図である。
【図２】同オゾン発生・照明装置の水平断面図である。
【図３】第２の実施の形態として示すオゾン発生・照明装置の水平断面図である。
【図４】同オゾン発生・照明装置の横断面図である。
【図５】第３の実施の形態として示すオゾン発生・照明装置の一部切欠き平面図である。
【図６】同オゾン発生・照明装置の横断面図である。
【図７】オゾン発生・照明装置を水槽照明装置に適用した使用態様図である。
【図８】第４の実施の形態として示すオゾン発生・照明装置の水平断面図である。
【図９】第５の実施の形態として示すオゾン発生・照明装置の水平断面図である。
【図１０】オゾン発生・照明装置を花瓶載置台に適用した使用態様図である。
【図１１】第６の実施の形態として示すオゾン発生・照明装置の縦断面図である。
【図１２】同オゾン発生・照明装置の水平断面図である。
【発明を実施するための形態】
【００１７】
以下、本発明の実施の形態として図面に示したオゾン発生・照明装置について、詳細に説明する。本発明の第１の実施の形態として図１及び図２に示したオゾン発生・照明装置１は、オゾン発生機能と照明光による照明機能を奏し、室内等に設置するとともに例えば熱帯魚や金魚等の鑑賞魚を飼育する水槽に設置し、或いは生花４６をいけた花瓶４５に付設して用いられる。
【００１８】
オゾン発生・照明装置１は、基板３とカバー部材４とを組み合わせて内部に空気流路空間部５を構成した筐体２と、この筐体２内に収納した紫外線ランプ７と駆動回路部８からな紫外線ランプユニット６とを備える。オゾン発生・照明装置１には、カバー部材４に空気流路空間部５と連通する空気流入部９とオゾン化空気排出部１０が設けられる。オゾン発生・照明装置１には、カバー部材４の内面に所定波長領域の紫外線を透過させる紫外線波長選択透過体１１を設けてもよい。
【００１９】
オゾン発生・照明装置１は、図１矢印で示すように、空気流入部９を介して外部より空気１２を取り入れて空気流路空間部５内に流す。オゾン発生・照明装置１は、後述するように取り入れた空気に紫外線ランプ７から出射した紫外線を当てて空気流路空間部５内においてオゾン１３を生成する。オゾン発生・照明装置１は、空気流路空間部５内で生成したオゾン１３を含むオゾン化空気１４をオゾン化空気排出部１０から外部へと排出する。
【００２０】
オゾン発生・照明装置１は、基板３が、例えば横長矩形の金属板や合成樹脂板により形成され、後述するようにカバー部材４の底板とともに、紫外線ランプユニット６の駆動回路部８の実装基板として機能する。基板３は、詳細を省略するが例えば壁面に取り付ける際の取付け板或いは水槽等に設置する際の設置板や載置板としても機能させてもよい。
【００２１】
オゾン発生・照明装置１は、カバー部材４が、例えば透明若しくは半透明なアクリル樹脂等の合成樹脂やガラス板により底面部を開放した横長矩形の箱状に形成される。カバー部材４は、後述するように紫外線ランプ７から出射された照明光を透過させて外部へと放射させるようにする。カバー部材４は、基板３の主面上に底面部が閉塞されるようにして組み合わされることにより、基板３とにより内部に密閉空間部からなる空気流路空間部５を構成する。カバー部材４は、例えば石英ガラスにより形成し、外部に紫外線を直接放射するようにしてもよい。
【００２２】
カバー部材４は、上述したように基板３に組み合わせて筐体２を構成するが、詳細を省略する適宜の構造により基板３に対して着脱自在として紫外線ランプ７の交換等が行われるようにする。カバー部材４は、基板３に対して着脱自在な組み合わせ構造により一体化するが、空気流路空間部５が密閉性を保持するように適宜の密閉構造を以って組み合わされる。
【００２３】
なお、カバー部材４は、底面部を除く主面部４Ａ及び主面部と直交する外周側面部を上述した素材により一体に形成し、各部位から照明光を四方へと放射するように構成したが、かかる構成に限定されないことは勿論である。カバー部材４は、例えば主面部４Ａを透明若しくは半透明素材によって光透過特性を有して形成することにより照明光放射面部として構成するとともに、遮光素材により筒状の外周側面部を形成して主面部４Ａと一体化するようにしてもよい。かかるカバー部材４は、主面部４Ａからのみ照明光を外部へ放射する。
【００２４】
オゾン発生・照明装置１は、上述したカバー部材４の長さ方向の一方外周側面部(第１外周側面部)４Ｂに空気流入部９を設けるとともに、相対する長さ方向の他方外周側面部(第２外周側面部)４Ｃにオゾン化空気排出部１０を設ける。オゾン発生・照明装置１においては、図２に示すように空気流入部９とオゾン化空気排出部１０が軸線をズラしてカバー部材４に形成することにより、空気流路空間部５内において空気１２が蛇行して流れる。
【００２５】
空気流入部９は、第１外周側面部４Ｂに形成した貫通孔に組み付けたバルブ内蔵接続管からなる。空気流入部９は、チューブ接続部９Ａを外方に突出させるとともに空気排出部９Ｂを空気流路空間部５に臨ませて、カバー部材４の第１外周側面部４Ｂに取り付けられる。空気流入部９は、チューブ接続部９Ａに図示しないポンプ、コンプレッサ等の空気供給源と接続される空気流入チューブ１５が接続される。空気流入部９は、内蔵したバルブにより空気流路空間部５からのオゾン化空気の逆流を防止する。
【００２６】
オゾン化空気排出部１０も、第２外周側面部４Ｃに形成した貫通孔に組み付けたバルブ内蔵接続管からなる。オゾン化空気排出部１０は、空気排出部１０Ｂを空気流路空間部５に臨ませるとともにチューブ接続部１０Ａを外方に突出させて第２外周側面部４Ｃに取り付けられる。オゾン化空気排出部１０は、チューブ接続部１０Ａに水槽４０や花瓶４５等の図示しないオゾン供給体へとオゾン化空気１４を供給するオゾン化空気供給チューブ１６が接続される。
【００２７】
紫外線ランプユニット６は、駆動回路部８が、電源回路や安定化回路等を構成する電子部品等を実装した回路基板をシールドケース内に収納してなり、上述したように基板３の主面上に搭載される。紫外線ランプユニット６は、シールドケースの上面にランプ支持基板１８を搭載し、このランプ支持基板１８の長さ方向の一方側に位置して設けた板バネ部材からなるソケット端子１７を介して紫外線ランプ７を取り付ける。なお、紫外線ランプユニット６には、図示を省略するが例えば排出するオゾンの濃度を検出するオゾン濃度センサ等を設け、またこのオゾン濃度センサの出力により駆動回路部８を介して紫外線ランプ７の点灯制御を行うようにしてもよい。
【００２８】
紫外線ランプユニット６は、駆動回路部８に対して接続した電源コード１９から電源が供給される。電源コード１９は、空気流路空間部５の密閉性を保持した状態でカバー部材４から外部に引き出されて電源と接続される。なお、電源コード１９には、図示を省略するが途中に例えば手動でオン・オフ操作を行う電源スイッチやタイマが設けられる。
【００２９】
紫外線ランプユニット６は、紫外線ランプ７として例えば周知のＵ字型紫外線ランプを用いる。Ｕ字型紫外線ランプは、詳細な構成の説明を省略するが、内面に蛍光層を形成したガラス管をＵ字状に湾曲して両端開口部に口金を被せて封止したガラスバルブの内部に紫外線放射ガス、例えばアルゴンと水銀或いはキセノンを主体としたガスを充填し、このガラスバルブの両端に放電電極を設けてなる。紫外線ランプ７は、放電電極に駆動電圧を印加することによりガラスバルブの内部で放電が発生し、この放電により紫外線放射ガスから紫外線を放射する。紫外線ランプ７は、紫外線がガラスバルブを透過する際に蛍光層を光輝させることにより照明光を出射する。
【００３０】
オゾン発生・照明装置１は、オゾン１３を発生するオゾン発生機能と照明光を出射する照明機能を奏することから、紫外線ランプ７として比較的広帯域の紫外線出射特性を有するものを用いることが好ましい。紫外線ランプ７は、オゾン発生効率が大きい１８５ｎｍ帯域の紫外線を出射し、また照明光として２８０ｎｍ〜３１５ｎｍ帯域の照明光を出射する。紫外線ランプ７は、図１に示すように放電電極を相対するソケット端子１７にはめ込むことによりランプ支持基板１８に対して片持ち状態に支持される。紫外線ランプ７は、カバー部材４の主面部４Ａの内面と平行状態で空気流路空間部５内において水平姿勢に保持される。紫外線ランプ７は、ランプ支持基板１８を介して駆動回路部８との電気的接続が行われる。
【００３１】
オゾン発生・照明装置１においては、空気１２からオゾン１３を生成する紫外線ランプ７によるオゾン発生機能がもっぱらカバー部材４の空気流路空間部５内において効率よく発揮されるとともに、照明機能が出射した照明光をカバー部材４を透過して外部へと効率よく放射されればよい。オゾン発生・照明装置１においては、カバー部材４の主面部４Ａの内面に設けた紫外線波長選択透過体１１により出射する紫外線を制御する。紫外線波長選択透過体１１は、カバー部材４を透過して外部に照明光として出射される照明光について、１８５ｎｍ帯域の紫外線を遮蔽するとともに２８０ｎｍ〜３１５ｎｍ帯域の紫外線については透過させるように作用する。紫外線波長選択透過体１１については、カバー部材４の内面に対してフィルタフィルムの貼着、或いは上述した特性を有する素材をコーティング等することにより設ける。
【００３２】
オゾン発生・照明装置１においては、紫外線ランプ７から出射された照明光がカバー部材４を透過して外部へと放射する。オゾン発生・照明装置１においては、上述したようにカバー部材４の内面に設けた紫外線波長選択透過体１１により、照明用の２８０ｎｍ〜３１５ｎｍ帯域の照明光を外部に放射して照明を行うとともに、照明用として不要な短波長紫外線を遮蔽する。オゾン発生・照明装置１においては、放射した照明光により周囲の蛍光体物質を光らせて独特な雰囲気作りが行われるようにする。
【００３３】
オゾン発生・照明装置１においては、空気流入部９にコンプレッサ等に接続した空気流入チューブ１５を接続するとともにオゾン化空気排出部１０にオゾン化空気供給チューブ１６を接続する。オゾン発生・照明装置１においては、空気流入チューブ１５を介して空気流入部９から空気流路空間部５内に空気１２が供給され、オゾン化空気排出部１０からオゾン化空気供給チューブ１６を介して外部へと排気される。オゾン発生・照明装置１においては、紫外線ランプ７がオフ状態において、オゾン化空気排出部１０から空気１２がそのまま排出される。
【００３４】
オゾン発生・照明装置１においては、電源コード１９を電源コンセットに接続して電源スイッチをオン操作することにより、紫外線ランプユニット６の駆動回路部８に電源が供給されて紫外線ランプ７が点灯する。オゾン発生・照明装置１においては、空気１２が、空気流路空間部５内においてカバー部材４の内面と紫外線ランプユニット６との間に構成された空気流路を流れる途中で、点灯した紫外線ランプ７から出射された紫外線が存在する紫外線雰囲気中を通過する。オゾン発生・照明装置１においては、紫外線に晒された空気１２が酸素成分を分解されてオゾン１３に変わりオゾン化空気１４が生成される。
【００３５】
オゾン発生・照明装置１においては、オゾン化空気１４を、空気流路空間部５内からオゾン化空気排出部１０を介して外部へと放出し、オゾンの殺菌や脱臭作用によって衛生対策や快適環境が創成されるようにする。オゾン発生・照明装置１においては、オゾン化空気排出部１０に接続したオゾン化空気供給チューブ１６を図示しない水槽等に導いてオゾン化空気１４を供給することにより、水槽内の殺菌や脱臭が行われるようにするとともに観賞魚の成長促進が図られるようにする。
【００３６】
オゾン発生・照明装置１においては、上述したようにガラスバルブの内面に蛍光層を形成したＵ字型紫外線ランプ７を用いたが、かかるＵ字型紫外線ランプ７に限定されないことは勿論である。オゾン発生・照明装置１においては、後述するように様々な形状の紫外線ランプが用いられるとともに、所定の波長帯域の紫外線を出射する。オゾン発生・照明装置１においては、紫外線ランプがガラスバルブを石英ガラス管により形成し、空気流路空間部５内において効率的な紫外線放射を行ってオゾン生成機能が奏されるようにし、カバー部材４の内面に紫外線波長選択透過体とともに、或いはこれに変えて蛍光層を形成するようにしてもよい。
【００３７】
オゾン発生・照明装置１においては、上述したようにカバー部材４の第１外周側面部４Ｂに空気流入部９を設けるとともに第２外周側面部４Ｃにオゾン化空気排出部１０を設けて空気１２が空気流路空間部５内を長さ方向に流れるように構成する。オゾン発生・照明装置１においては、空気流路空間部５内において空気１２が紫外線ランプ７に沿って流れることにより、紫外線ランプ７から出射された紫外線に晒されてオゾン化空気１４に変化する。オゾン発生・照明装置１においては、オゾン化空気１４が紫外線ランプ７のほぼ全長に沿って流れることから、空気流入部９側の初期段階でオゾン化した分がオゾン化空気排出部１０の近傍付近では紫外線に晒されて分解して酸素となるためにオゾン化率が低下する。
【００３８】
第２の実施の形態として図３及び図４に示したオゾン発生・照明装置２０は、空気流路空間部５内において後段位置においてもオゾン化空気１４が保持されて効率的なオゾン排出が行われるように構成したことを特徴とする。オゾン発生・照明装置２０は、基本的な構成を上述したオゾン発生・照明装置１と同等とすることから、対応する部位には同一符号を付すことにより説明を省略する。
【００３９】
オゾン発生・照明装置２０も、基板３にカバー部材４を組み合わすことにより内部に密閉された空気流路空間部２１を構成する。オゾン発生・照明装置２０は、空気流路空間部２１内に後述する隔壁部材２２を組み合わせることにより、空気流路空間部２１を空気流路２３とオゾン化空気生成流路２４とオゾン化空気流路２５に区割りしてなる。オゾン発生・照明装置２０は、カバー部材４の第１外周側面部４Ｂに設ける空気流入部９を幅方向の一方外周側面部（第３外周側面部）４Ｄ側に寄った位置に設けるとともに、第２外周側面部４Ｃに設けるオゾン化空気排出部１０を幅方向の他方外周側面部（第４外周側面部）４Ｅ側に寄った位置に設ける。
【００４０】
オゾン発生・照明装置２０は、図４に示すように隔壁部材２２がカバー部材４の内部を上下空間に仕切る板状部材からなり、下部空間内に駆動回路部８を収納するとともに、ソケット端子１７を貫通させて上部空間内に紫外線ランプ７を収納する。隔壁部材２２は、例えば紫外線遮蔽特性を有する合成樹脂材により形成し、図３及び図４に示すように平行に対峙する長さ方向の第１隔壁部２２Ａと第２隔壁部２２Ｂを一体に形成する。隔壁部材２２は、第１隔壁部２２Ａと第２隔壁部２２Ｂを、紫外線ランプ７を収納するに足る間隔を以って一体に立設する。
【００４１】
隔壁部材２２は、カバー部材４に組み合わされた状態において、第１隔壁部２２Ａと第２隔壁部２２Ｂの上縁が主面部４Ａの内面に突き当てられる。隔壁部材２２は、第１隔壁部２２Ａがカバー部材４の第３外周側面部４Ｄと全長に亘って対向し、一方側に空気流入部９を臨ませる空気流路２３を構成する。隔壁部材２２は、第２隔壁部２２Ｂがカバー部材４の第４外周側面部４Ｅと全長に亘って対向し、他方側にオゾン化空気排出部１０を臨ませるオゾン化空気流路２５を構成する。隔壁部材２２は、第１隔壁部２２Ａと第２隔壁部２２Ｂとの間に紫外線ランプ７を収納してオゾン化空気生成流路２４を構成する。
【００４２】
隔壁部材２２は、第１隔壁部２２Ａの上縁に、ほぼ中央位置から第２外周側面部４Ｃ側の上縁に亘って段落ち２２Ａ１が形成されてカバー部材４と組み合わせた状態で、主面部４Ａの内面との間に間隙が構成されるようにする。隔壁部材２２は、この間隙を介して第１隔壁部２２Ａにより区割りする空気流路２３とオゾン化空気生成流路２４とを、第２外周側面部４Ｃ側、すなわち空気１２の流れ方向の前方側において連通させる。
【００４３】
隔壁部材２２には、第２隔壁部２２Ｂの下縁に、ほぼ中央位置からから第１外周側面部４Ｂ側において開口する長さ方向のスリット２２Ｂ１を形成することにより、間隙が構成されている。隔壁部材２２は、この間隙を介して第２隔壁部２２Ｂにより区割りするオゾン化空気生成流路２４とオゾン化空気流路２５とを第１外周側面部４Ｂ側において連通させる。
【００４４】
オゾン発生・照明装置２０においては、空気流入部９を介して供給された空気１２が空気流路２３内を流れ、隔壁部材２２の第１隔壁部２２Ａに形成した段差２２Ａ１によって構成された間隙を介してオゾン化空気生成流路２４内へと流れ込む。オゾン発生・照明装置２０においては、オゾン化空気生成流路２４内に流れ込んだ空気１２が、紫外線ランプ７から出射された紫外線によりオゾン化する。オゾン発生・照明装置２０においては、オゾン化空気生成流路２４内において生成されたオゾン１３が、隔壁部材２２の第２隔壁部２２Ｂに形成したスリット２２Ｂ１によって構成された間隙を介してオゾン化空気流路２５内へと流れ込む。オゾン発生・照明装置２０においては、オゾン化空気排出部１０を介してオゾン化空気１４が外部へと放出される。
【００４５】
オゾン発生・照明装置２０は、上述したように紫外線遮蔽特性を有する合成樹脂材やガラス等により隔壁部材２２を一体に形成することにより、空気流路空間部２１を構成する空気流路２３とオゾン化空気生成流路２４とオゾン化空気流路２５が互いに紫外線遮蔽流路として構成される。オゾン発生・照明装置２０においては、空気流路２３から流れ込んだ空気１２が充分な空間長を有するオゾン化空気生成流路２４内を流れることにより、紫外線に対して晒されてオゾン１３の生成を効率的に行うことを可能とする。オゾン発生・照明装置２０においては、オゾン１３がオゾン化空気生成流路２４と平行なオゾン化空気流路２５を流れて外部へと放出されるが、上述した紫外線遮蔽空間部の構成により生成されたオゾン１３が紫外線により再び分解されてしまうことは無い。
【００４６】
オゾン発生・照明装置２０は、紫外線遮蔽特性を有する合成樹脂材やガラス等により形成した隔壁部材２２をカバー部材４に組み合わせて空気流路空間部２１内に互いに連通する紫外線遮蔽流路の各流路２３〜２５を構成したが、かかる構成に限定されないことは勿論である。オゾン発生・照明装置２０においては、上述した隔壁部材２２の第１隔壁部２２Ａ及び第２隔壁部２２Ｂと同等構造の隔壁部をカバー部材４の内面に一体に形成するようにしてもよい。また、オゾン発生・照明装置２０は、紫外線遮蔽特性を有する合成樹脂材により隔壁部材２２を形成したが、少なくともオゾン化空気１４が流れるオゾン化空気流路２５を紫外線遮蔽流路として構成すればよく、第２隔壁部２２Ｂに適宜の紫外線遮蔽体を形成してもよい。
【００４７】
第３の実施の形態として図５及び図６に示したオゾン発生・照明装置３０は、いわゆる壁掛け型の態様で使用される。オゾン発生・照明装置３０も、基本的な構成を上述したオゾン発生・照明装置１やオゾン発生・照明装置２０と同様とし、基板３１に対してカバー部材３２が組み合わされて筐体２を構成する。オゾン発生・照明装置３０は、紫外線ランプ７として直管型紫外線ランプ７を用いるが、例えば上述したＵ字型紫外線ランプ７を用いてもよいことは勿論である。以下のオゾン発生・照明装置３０の説明において、オゾン発生・照明装置１やオゾン発生・照明装置２０の部位と対応する部位については同一符号を付すことにより詳細な説明を省略する。
【００４８】
オゾン発生・照明装置３０は、幅広の基板３１が幅方向に２つの領域に区割りされ、一方領域を紫外線ランプユニット６の駆動回路部８を搭載する駆動回路搭載領域３１Ａとするとともに、他方領域をカバー部材３２を組み合わせるカバー部材組合せ領域３１Ｂとする。オゾン発生・照明装置３０は、カバー部材３２を、紫外線遮蔽特性を有する合成樹脂材やガラス等により形成することで、カバー部材３２の外周壁が駆動回路搭載領域３１Ａとカバー部材組合せ領域３１Ｂとを紫外線に対して遮蔽された領域として構成する。
【００４９】
カバー部材３２は、上述したオゾン発生・照明装置２０のカバー部材４と隔壁部材２２の機能を一体化した部材からなる。カバー部材３２は、基板３１に組み合わすことにより内部に紫外線ランプユニット６の紫外線ランプ７を収納する空気流路空間部３３を構成する。空気流路空間部３３は、上述したオゾン発生・照明装置２０と同様に隔壁部材２２により幅方向に並んで長さ方向の３つの流路に区割りされ、これら３つの流路が空気流路３４と、オゾン化空気生成流路３５と、オゾン化空気流路３６を構成する。
【００５０】
オゾン発生・照明装置３０には、カバー部材３２の長さ方向の一方外周側面部に、空気流路３４に連通して空気流入部９が設けられるとともにオゾン化空気流路３６に連通してオゾン化空気排出部１０が設けられる。オゾン発生・照明装置３０も、オゾン化空気生成流路３５内に紫外線ランプユニット６の紫外線ランプ７が長さ方向に配置される。オゾン発生・照明装置３０も、図示を省略するが隔壁部材２２に形成した段落ち部を介して空気流路３４とオゾン化空気生成流路３５が連通するとともに、オゾン化空気生成流路３５とオゾン化空気流路３６が連通される。
【００５１】
オゾン発生・照明装置３０も、空気流入部９を介して空気流路３４内に外部から空気１２が供給されて、オゾン化空気生成流路３５へと流れ込む。オゾン発生・照明装置３０も、オゾン化空気生成流路３５に流れ込んだ空気１２が紫外線ランプ７から出射された紫外線に晒されてオゾン１３へと変化し、オゾン化空気１４としてオゾン化空気生成流路３５からオゾン化空気流路３６へと流し込む。オゾン発生・照明装置３０も、オゾン化空気１４を、オゾン化空気流路３６からオゾン化空気排出部１０を介して外部へと放出する。
【００５２】
オゾン発生・照明装置３０も、紫外線遮蔽特性を有する合成樹脂材により形成した隔壁部材２２により、オゾン化空気生成流路３５とオゾン化空気流路３６が紫外線遮蔽流路として構成される。オゾン発生・照明装置３０も、空気流路３４から流れ込んだ空気１２が充分な空間長を有するオゾン化空気生成流路３５内を通過することにより紫外線に対して効率的に晒されてオゾン１３の生成が行われる。オゾン発生・照明装置３０も、オゾン１３がオゾン化空気生成流路３５と平行なオゾン化空気流路３６を流れて外部へと放出されるが、オゾン化空気生成流路３５から漏れる紫外線により再び分解されてしまうことは無い。
【００５３】
オゾン発生・照明装置３０は、上述したように幅広の基板３１を駆動回路搭載領域３１Ａとカバー部材組合せ領域３１Ｂに区割りするとともに、紫外線遮蔽特性を有する合成樹脂材によりカバー部材３２を形成する。オゾン発生・照明装置３０は、カバー部材３２を組み合わせて構成する空気流路空間部３３を密閉空間部として構成するが、発生熱の放熱等を考慮して紫外線ランプユニット６の駆動回路部８を開放空間部に搭載することが好ましい。
【００５４】
オゾン発生・照明装置３０においては、駆動回路部８を駆動回路搭載領域３１Ａにおいて開放構造を以って搭載することで放熱や保守性の向上が図られる。オゾン発生・照明装置３０においては、駆動回路部８がカバー部材３２の紫外線遮蔽特性により、紫外線やオゾン１３による影響を排除されて電子部品等の損傷が防止可能となり、また耐久性や信頼性の向上が図られる。
【００５５】
オゾン発生・照明装置３０は、図５に示すように基板３１を駆動回路搭載領域３１Ａに壁掛け用孔３７Ａ、３７Ｂ（壁掛け用孔３７）が設けられる。オゾン発生・照明装置３０は、これら壁掛け用孔３７に適宜の取付部材を取り付け、取付部材を介して図６に示すように壁面等に取り付ける。なお、オゾン発生・照明装置３０は、基板３１を載置板として据え置き形態で使用することも可能である。オゾン発生・照明装置３０は、紫外線ランプ７としてＵ字型紫外線ランプを用いてもよいことは勿論である。
【００５６】
上述したオゾン発生・照明装置１（オゾン発生・照明装置２０、３０）は、例えば図７に示すように熱帯魚や金魚等の観賞魚を飼育する水槽４０に設置することにより、紫外線照明（ブラックライト照明）や紫外線カット照明を行うとともに水中にオゾン化空気１４を供給する。オゾン発生・照明装置１は、同図に示すように水槽４０の開口部に設置して照明装置や空気ポンプを取り付ける従来周知のブラケット枠部材４１を用いて空気ポンプ４２とともに設置される。なお、オゾン発生・照明装置１は、従来周知のブラケット枠部材４１に限定されず、適宜の取付部材を介して水槽４０に設置することが可能である。
【００５７】
オゾン発生・照明装置１は、カバー部材４の第１主面部４Ａを水面と対向させた姿勢でブラケット枠部材４１に設置する。オゾン発生・照明装置１は、空気流入部９に空気ポンプ４２と接続した空気流入チューブ１５を接続して流圧を付与された空気１２を空気流路空間部５内に取り入れる。オゾン発生・照明装置１は、オゾン化空気排出部１０にオゾン化空気供給チューブ１６を接続するとともに、このオゾン化空気供給チューブ１６の先端側を水槽４０内へと導く。
【００５８】
オゾン発生・照明装置１においては、紫外線ランプ７から出射した照明光を第１主面部４Ａから水面に向かって放出することにより、照明を行う。オゾン発生・照明装置１においては、水槽４０内や周囲を照明することで蛍光物体を光らせて独自の雰囲気作りが行われるようにする。オゾン発生・照明装置１においては、取り入れた空気１２を空気流路空間部５内においてオゾン化してオゾン化空気１４を生成し、オゾン化空気供給チューブ１６の先端に設けた空気分散玉４３から水中に放出する。オゾン発生・照明装置１においては、水中に放出したオゾン化空気１４により水の除菌や脱臭を行って水質浄化を図りまた熱帯魚等の発育促進を図る。
【００５９】
ところで、オゾン１３と紫外線は、水槽４０内に発生するアオコに対してそれぞれ酸化処理作用を奏して分解させることにより、繁殖を抑制する。オゾン発生・照明装置１においては、上述したようにカバー部材４の内面に紫外線波長選択透過体１１を設けて波長を選択して紫外線を放射するようにしたが、カバー部材４の主面部４Ａからアオコの酸化処理作用を奏する紫外線を積極的に放射することによりオゾン１３との相乗効果によって水槽４０内における水質浄化の促進を図るようにしてもよい。
【００６０】
オゾン発生・照明装置１は、カバー部材４を、紫外線の透過率が良好な石英ガラスにより形成してもよい。オゾン発生・照明装置１は、上述したように内部で生成したオゾン１３を水中に放出するとともに、カバー部材４を透過した照明光により水槽４０の照明を行う。オゾン発生・照明装置１においては、カバー部材４を透過した紫外線が水中のオゾン１３に作用することにより、オゾン１３をさらに酸化力を有するヒドロキシラジカルに変化させる。オゾン発生・照明装置１においては、これによりオゾン１３でも分解しない物質も、オゾン１３とヒドロキシラジカルによる促進酸化処理作用により分解する。
【００６１】
上述したオゾン発生・照明装置１、２０、３０は、矩形基板に矩形カバー部材４を組み合わせて内部に空気流路空間部５を構成したが、本発明はかかる形態に限定されるものでは無いことは勿論である。第４の実施の形態として図８に示したオゾン発生・照明装置５０は、全体をやや薄厚の円形体とし、例えば花瓶４５等を設置する置き台機能も奏するように構成したことを特徴とする。オゾン発生・照明装置５０も、基本的な構成を上述したオゾン発生・照明装置１、２０、３０と同様とすることから、対応する部位には同一符号を付すことにより説明を省略する。
【００６２】
オゾン発生・照明装置５０は、基板５２とカバー部材５３とを組み合わせて内部に空気流路空間部５４を構成した筐体５１と、この筐体５１内に収納した紫外線ランプ７と駆動回路部８からな紫外線ランプユニット６とにより構成される。オゾン発生・照明装置５０は、基板５２が、例えば合成樹脂板によってやや大きな厚みを有する有底筒状体に形成されて、載置台として機能する。また、基板５２は、カバー部材５３の底板として機能するともに紫外線ランプユニット６の駆動回路部８の搭載基板として機能する。
【００６３】
基板５２には、外周部に第１の切欠きを形成して空気流入部９を構成するバルブ内蔵接続管が取り付けられ、第２の切欠きを形成してオゾン化空気排出部１０を構成するバルブ内蔵接続管が取り付けられる。基板５２には、外周部に第２の切欠きを形成して電源コード１９を引き込む貫通孔が形成される。なお、基板５２には、図示を省略するが、底面側に補強用のリブが例えば格子状に配列して形成されるとともに、滑止めゴムを装填した設置用筒部等が形成される。
【００６４】
オゾン発生・照明装置５０は、カバー部材５３が、例えば透明若しくは半透明なアクリル樹脂等の合成樹脂やガラス板により底面部を開放した天井付き円筒形に形成される。カバー部材５３は、紫外線ランプ７から出射された照明光を天井面部や外周面部から透過させて外部へと放射させるようにする。カバー部材５３は、基板５２の主面上に底面部が閉塞されるようにして組み合わされることにより、基板５２とにより内部に密閉空間部からなる空気流路空間部５４を構成する。カバー部材５３は、比較的大きな外径を有しており、天井部（上面部）が花瓶４５等を載置する載置部を構成する。
【００６５】
オゾン発生・照明装置５０は、空気流路空間部５４の中央領域５４Ａが紫外線ランプユニット６の紫外線ランプ７を収納するランプ収納空間部を構成し、この中央領域５４Ａに隣り合う外周側の一部領域５４Ｂを駆動回路部８を収納する駆動回路部とする。オゾン発生・照明装置５０は、中央領域５４Ａ内において紫外線ランプ７が、中心線上に位置するようにしてランプ支持基板１８に設けたソケット端子１７に片持ち支持の状態で支持されて配置される。
【００６６】
オゾン発生・照明装置５０においても、空気流入部９に空気ポンプ等に接続した空気流入チューブ１５を接続するとともにオゾン化空気排出部１０にオゾン化空気供給チューブ１６を接続する。オゾン発生・照明装置５０においても、空気流入チューブ１５を介して空気流入部９から空気流路空間部５４内に空気１２が供給され、紫外線ランプ７から出射された紫外線に晒されることによりオゾン１３に変化してオゾン化空気を生成する。オゾン発生・照明装置５０においても、オゾン化空気排出部１０からオゾン化空気供給チューブ１６を介して外部へと排気される。
【００６７】
なお、オゾン発生・照明装置５０は、空気流路空間部５４を螺旋状に区割りした空間部として構成し、例えば外周側に空気流入部９を設けるとともに中心側にオゾン化空気排出部１０を設けるようにしてもよい。オゾン発生・照明装置５０は、空気流入部９から取り入れられた空気１２が螺旋状の空気流路内を流れるにしたがって紫外線ランプ７から出射された紫外線に晒されてオゾン１３に変化するとともに、次第に流速を高めて中心側にオゾン化空気排出部１０から外部へと放出される。オゾン発生・照明装置５０は、流速の大きなオゾン化空気１４が広範囲に亘って放出されるようにする。
【００６８】
第５の実施の形態として図９に示したオゾン発生・照明装置６０も、上述したオゾン発生・照明装置５０と同様に上面に花瓶４５等を設置する置き台機能も奏する円形構造
装置である。オゾン発生・照明装置６０も、基本的な構成を上述したオゾン発生・照明装置１、２０、３０、５０と同様とすることから、対応する部位には同一符号を付すことにより説明を省略する。
【００６９】
オゾン発生・照明装置６０は、紫外線ランプユニット６の紫外線ランプ７として、環状型紫外線ランプを用いたことを特徴とする。オゾン発生・照明装置６０は、基板５２とカバー部材５３により構成する空気流路空間部６１が外周側の環状領域部６１Ａと、この環状領域部６１Ａに囲まれた中央領域部６１Ｂに区割りされる。オゾン発生・照明装置６０は、環状領域部６１Ａ内にランプ支持基板１８Ａ、１８Ｂを配置し、これらランプ支持基板１８Ａ、１８Ｂに設けたソケット端子１７Ａ、１７Ｂに両端部の口金を装着して環状型紫外線ランプ７を収納する。オゾン発生・照明装置６０においては、空気流路空間部６１内において紫外線ランプ７が、カバー部材４の内面に沿って延在した状態で収納される。
【００７０】
オゾン発生・照明装置６０においては、カバー部材４の主面部４Ａ上に生け花４６をいけた花瓶４５等が載置される。オゾン発生・照明装置６０においては、環状型の紫外線ランプ７を用いて外周側の環状領域部６１Ａ内に収納したことにより、紫外線ランプ７から出射された照明光が主面部４Ａの中央部に位置される花瓶４５により遮蔽されることなく、外部に効率よく放射される。オゾン発生・照明装置６０においては、花瓶４５の全周を効率よく照明して照明効果がより強調されるようにする。
【００７１】
上述したオゾン発生・照明装置５０（オゾン発生・照明装置６０）は、例えば図１０に示すように生け花４６をいけた花瓶４５をカバー部材４の主面部（上面部）４Ａ上に載置することにより、紫外線照明（ブラックライト照明）や紫外線カット照明を行うとともに花瓶４５内にオゾン化空気１４を供給する。オゾン発生・照明装置５０は、同図に示すように主面部４Ａ上に花瓶４５を載置するとともに、オゾン化空気排出部１０に接続したオゾン化空気供給チューブ１６の先端部を花瓶４５内へと導く。なお、花瓶４５は、底部が環状領域部６１Ａと同等若しくはやや小径であるものが好ましく、さらに蛍光物質を含有したものであればさらに照明効果が高まる。
【００７２】
オゾン発生・照明装置５０においては、環状の紫外線ランプ７から出射されてカバー部材４を透過して外部へと放射される照明光が、載置した花瓶４５を取り囲む外周領域から外部へと放射されるようにする。オゾン発生・照明装置５０においては、効率的な照明が行われるとともに花瓶４５の全周を均一に照明し、周囲に存在する蛍光体物質を光らせて独自の雰囲気作りが行われるようにする。オゾン発生・照明装置５０においては、蛍光物質を含有した花瓶４５を用いた場合には照明効果のさらなる向上が図られる。
【００７３】
オゾン発生・照明装置５０においては、空気ポンプ４２から空気流入部９を介して空気流路空間部６１（５４）内に取り入れた空気１２をオゾン化してオゾン化空気１４を生成する。オゾン発生・照明装置５０においては、オゾン化空気１４をオゾン化空気排出部１０に接続されたオゾン化空気供給チューブ１６を介してその先端に設けた空気分散玉４３から水中へと放出する。オゾン発生・照明装置５０においては、水中に放出したオゾン化空気１４により花瓶４５内の水の除菌や脱臭を行って水質浄化を図りまた生け花４６を活性化させて長持ちさせる。オゾン発生・照明装置５０においては、オゾン化空気１４による水の浄化によって花瓶４５内の頻繁な水交換を不要とし注ぎ水の手間で草花を長持ちさせる。
【００７４】
オゾン発生・照明装置５０においては、オゾン化空気排出部１０に空気冷却器６２を付設してオゾン化空気供給チューブ１６を接続することにより、空気冷却器６２を通過して冷却されたオゾン化空気１４を花瓶４５内に供給するようにしてもよい。空気冷却器６２としては、例えばベルチェ素子を内蔵したベルチェ素子型冷却器が好適に用いられる。ベルチェ素子型冷却器は、２種類の金属接合部に電流を流すことにより金属間において熱移動が生じるベルチェ効果を利用した冷却器であり、可動部を有しないことで騒音の発生が無く、電流量の制御により温度管理が容易に行われる。
【００７５】
空気冷却器６２は、オゾン発生・照明装置５０において適宜の位置に設置することが可能ではあるが、紫外線ランプユニット６によるオゾン１３の生成効率を妨げずかつ効率的な空気冷却を行うためにオゾン化空気排出部１０に付設し或いは外付け機器としてオゾン化空気供給チューブ１６の途中に設けるようにしてもよい。オゾン発生・照明装置５０においては、一般に空気冷却器６２には冷却空気を送り出すファンが設けられていることから、空気流路空間部６１内に空気１２を送り込む空気ポンプ４２を不要としてもよい。
【００７６】
オゾン発生・照明装置５０においては、空気冷却器６２を通過させることにより冷却されたオゾン化空気１４を花瓶４５内に供給する。オゾン発生・照明装置５０においては、冷却されたオゾン化空気１４により、花瓶４５内の水温を低下させるとともに生花４６の周辺温度も低下させる。オゾン発生・照明装置５０においては、上述したオゾン化空気１４の供給による作用効果とともに、冷却したオゾン化空気１４の供給により生花４６をさらに長持ちさせることが可能である。
【００７７】
第６の実施の形態として図１１及び図１２に示したオゾン発生・照明装置７０は、紫外線ランプユニット６として、上述したオゾン発生・照明装置１等と同様にＵ字型の紫外線ランプ７が用いられる。オゾン発生・照明装置７０は、紫外線ランプ７を縦型姿勢で用いることにより、全体が縦長のいわゆるランタン型照明装置を構成する。オゾン発生・照明装置７０は、ベース部材７２と、外筒カバー部材７３と、蓋部材７４により筐体７１を構成する。オゾン発生・照明装置７０は、筐体７１の内部に縦型の密閉空間部である空気流路空間部７１Ａを構成する。
【００７８】
オゾン発生・照明装置７０は、ベース部材７２が例えば合成樹脂板によってやや大きな厚みを有する円形或いは多角形のブロック体として形成されて、載置台として機能する。また、ベース部材７２は、外筒カバー部材７３の底板として機能するともに、電源コード１９の引き出し部や空気流入部９やオゾン化空気排出部１０を取り付ける部位として機能する。また、ベース部材７２は、紫外線ランプユニット６を取り付ける紫外線ランプユニット取付基板７５の支持部材として機能する。
【００７９】
ベース部材７２には、図１１に示すように空気流入部９やオゾン化空気排出部１０に連通する流路７２Ａが形成される。ベース部材７２には、コネクタブッシュ７６がはめ込まれ、電源コード１９に設けたコネクタ７７が空気流路空間部７１Ａの密閉特性を保持した状態で組み付けられる。
【００８０】
オゾン発生・照明装置７０は、外筒カバー部材７３が、透明若しくは半透明なアクリル樹脂等の合成樹脂やガラス板により円筒形或いは多角筒形に形成され、図１１に示すように下端部をベース部材７２の上面に形成した嵌合溝部に嵌合して組み合わされる。外筒カバー部材７３も、紫外線ランプ７から出射された照明光を外部へと放射させる。なお、外筒カバー部材７３は、ベース部材７２に対して、着脱自在な組み合わせ構造により密閉空間部を構成して組み合わされ、また取り外して紫外線ランプユニット６の交換等の保守が行われるようにする。なお、外筒カバー部材７３は、内面に紫外線波長選択透過体１１を設けるようにしてもよい。
【００８１】
オゾン発生・照明装置７０は、蓋部材７４が、透明若しくは半透明なアクリル樹脂等の合成樹脂やガラス板により外筒カバー部材７３の内径よりもやや大きな円盤状部材として形成される。蓋部材７４は、図１１に示すように天井開口部を閉塞して組み合わされる。なお、蓋部材７４は、空気流入部９或いはオゾン化空気排出部１０のいずれか一方を取り付けるようにしてもよい。
【００８２】
オゾン発生・照明装置７０は、空気流路空間部７１Ａ内に、紫外線ランプユニット６を搭載した紫外線ランプユニット取付基板７５が取り付けられる。紫外線ランプユニット取付基板７５は、図１１に示すように下端部をベース部材７２の上面に形成した嵌合溝内に嵌合することにより垂直状態に立設する。紫外線ランプユニット取付基板７５は、ベース部材７２に組み合わせた外筒カバー部材７３により外周部を囲まれ、外筒カバー部材７３に組み合わせた蓋部材７４の内面に形成した嵌合溝に上端部を嵌合することにより、空気流路空間部７１Ａ内に取り付けられる。
【００８３】
紫外線ランプユニット取付基板７５は、図１２に示すように平面部の両側部位が長さ方向の全長に亘ってやや折曲されている。紫外線ランプユニット取付基板７５には、折曲部位により絞られた空間側に位置して紫外線ランプ７が長さ方向（高さ方向に）の姿勢で支持される。紫外線ランプユニット取付基板７５には、紫外線ランプ７を取り付けた側の反対側に位置して駆動回路部８が搭載される。紫外線ランプユニット取付基板７５は、上述した形状から、空気流路空間部７１Ａを２つの領域に区割りし、例えば駆動回路部８の搭載側を空気流路とし、紫外線ランプ７の搭載側をオゾン化空気流路とする。また、紫外線ランプユニット取付基板７５は、両側に折曲部を形成したことにより、紫外線ランプ７から出射された照明光を一方側から効率よく出射されるようにする。
【００８４】
オゾン発生・照明装置７０においては、上述した外筒カバー部材７３を石英ガラスにより形成して、オゾン１３とともに促進酸化処理作用を奏する紫外線を直接放射するようにしてもよい。オゾン発生・照明装置７０においては、全体を水密構造として、例えば水槽４０内に直接設置することにより、オゾン放出と照明光による照明を水中から同時に行うようにしてもよい。オゾン発生・照明装置７０においては、外筒カバー部材７３から照明光の出射と同時に紫外線を放射することにより、水中に放出されたオゾン１３と、このオゾン１３に作用する紫外線により生成されたヒドロキシラジカルとによる促進酸化処理作用により水中の不純物質を分解する。
【００８５】
なお、本発明は、図面を参照して説明した上述した実施の形態に限定されるものではなく、添付の特許請求の範囲及びその要旨を逸脱することなく、様々な変更、置換或いは同等に構成されることは当業者にとって明らかである。
【符号の説明】
【００８６】
１，２０，３０，５０，６０，７０  オゾン発生・照明装置、２，５１，７１  筐体、３，３１，５２  基板、４，３２，５３  カバー部材、５，２１，３３，５４，６１  空気流路空間部、６  紫外線ランプユニット、７  紫外線ランプ、８  駆動回路部、９  空気流入部、１０  オゾン化空気排出部、１１  紫外線波長選択透過体、１２  空気、１３  オゾン、１４  オゾン化空気、２２  隔壁部材、２３，３４  空気流路、２４，３５  オゾン化空気生成流路、２５，３６  オゾン化空気流路、４０  水槽、４２  空気ポンプ、４５  花瓶、４６  生け花、６２  空気冷却部、７２  ベース部材、７３  外筒カバー部材、７４  蓋部材、７５  紫外線ランプユニット取付基板
【図１】
2012038620.tif 000003
【図２】
2012038620.tif 000004
【図３】
2012038620.tif 000005
【図４】
2012038620.tif 000006
【図５】
2012038620.tif 000007
【図６】
2012038620.tif 000008
【図７】
2012038620.tif 000009
【図８】
2012038620.tif 000010
【図９】
2012038620.tif 000011
【図１０】
2012038620.tif 000012
【図１１】
2012038620.tif 000013
【図１２】
2012038620.tif 000014